(57)【要約】【課題】嵩高にならず、比較的軽量な擁壁ブロックを使用すると共に、大量の砕石や栗石等を使用せず、土木廃材や産業廃棄物等を有効に活用した、コスト低減効果の大きい擁壁構造を提供する。【解決手段】基礎地盤上に擁壁ブロックを段積みして構築する擁壁構造であって、前壁と、前壁の裏面に連結され前壁後方へ伸びる脚部材と、から構成される擁壁ブロックと、前壁の裏面側であって、脚部材の上に配置された土嚢ブロックと、土嚢ブロックの外周空間であって、土嚢ブロックと擁壁ブロックと法面により画成される空間に充填された中詰材とから構成される擁壁構造とした。【選択図】図２
2014029100.tif 000002
【特許請求の範囲】
【請求項１】
基礎地盤上に擁壁ブロックを段積みして構築する擁壁構造であって、
前壁と、前壁の裏面に連結され前壁後方へ伸びる脚部材と、から構成される擁壁ブロックと、
前壁の裏面側であって、脚部材の上に配置された土嚢ブロックと、
土嚢ブロックの外周空間であって、土嚢ブロックと擁壁ブロックと法面により画成される空間に充填された中詰材とからなる擁壁構造。
【請求項２】
請求項１に記載された擁壁構造において、
前記擁壁ブロックの前壁裏面には、前壁に沿って上下に伸びる１又は複数の桁部材が一体的に設けられており、前記脚部材は当該桁部材の数と同数設けられており、前記脚部材の一端が当該桁部材の下部に連結されていることを特徴とする擁壁構造。
【請求項３】
請求項１又は２に記載された擁壁構造において、
前記土嚢ブロックは、前記前壁又は前記桁部材に連結されていることを特徴とする擁壁構造。
【請求項４】
請求項１乃至３のいずれかに記載された擁壁構造において、
前記土嚢ブロックは、１又は複数の角型土嚢ブロックからなることを特徴とする擁壁構造。
【請求項５】
請求項１乃至４のいずれかに記載された擁壁構造において、
前記基礎地盤が、複数の独楽型ブロックを埋設した強化地盤から構成されることを特徴とする擁壁構造。
【請求項６】
基礎地盤上に擁壁壁面構造物を段積みして構築する擁壁構造であって、
前壁と、前壁の下方裏面に連結され前壁後方へ伸びる底面壁と、前壁および底面壁を連結する連結部材から構成される擁壁壁面構造物と、
前壁の裏面側であって、底面壁の上に配置された土嚢ブロックと、
土嚢ブロックの外周空間であって、土嚢ブロックと擁壁壁面構造物と法面により画成される空間に充填された中詰材とからなる擁壁構造。
【請求項７】
請求項６に記載された擁壁構造において、
前記土嚢ブロックは、１又は複数の角型土嚢ブロックからなることを特徴とする擁壁構造。
【請求項８】
請求項６又は７に記載された擁壁構造において、
前記基礎地盤が、複数の独楽型ブロックを埋設した強化地盤から構成されることを特徴とする擁壁構造。
【発明の詳細な説明】
【技術分野】
【０００１】
本発明は、道路工事、河川工事、宅地造成工事の土留擁壁や護岸の構築に使用される擁壁構造に関するものである。
【背景技術】
【０００２】
このような擁壁構造の例としては、基礎地盤上に配設した基礎部上にブロック３２を段積みして構築する構造物に係る先行技術がある。（特許文献１参照）
この先行技術における段積みブロック３２は、前壁３３及び後壁３４と、両前・後壁３３、３４を連結する連結体（左・右側壁３５、３６）とを具備し、上下方向に開口する四角形筒状に形成され、後壁３４は前壁３３の半分以下の高さに設定されている。  また、左・右側壁３５、３６の上部間には、滑動抵抗体４０が横架されている。
【０００３】
そして、ブロックを段積みして形成される各段の上下境界面位置に、下段ブロック側と上段ブロック側に跨がるよう滑動抵抗体４０が配置され、下段ブロックの前壁３３と同下段ブロック側の滑動抵抗体４０の部分との間に形成される空間に、拘束層形成材（胴込め材３１： 砕石、栗石等）を充填して下段側の前部拘束層を形成すると共に、同下段ブロック側の滑動抵抗体４０の部分と同下段ブロックの後壁ないしは構造物の背後に形成されている法面との間に形成される空間に、拘束層形成材（裏込め材１７）を充填して下段側の後部拘束層を形成するようになっている。
【０００４】
また、上段ブロックの前壁３３と同上段ブロック側の滑動抵抗体４０の部分との間に形成される空間に、拘束層形成材（胴込め材３１： 砕石、栗石等）を充填して上段側の前部拘束層を形成すると共に、同上段ブロック側の滑動抵抗体４０の部分と同上段ブロックの後壁３４との間に形成される空間に、拘束層形成材（胴込め材３１：砕石、栗石等）を充填して上段側の後部拘束層を形成して、前記各段の上下境界面位置にて、上・下段の前部拘束層を上下方向に連続させると共に、上・下段の後部拘束層を上下方向に連続させて、上下方向に連続する前部拘束層と上下方向に連続する後部拘束層が、上記滑動抵抗体４０を介して反力（受働）を発揮することにより、上下境界面におけるブロックの滑動抵抗力を強化した擁壁ブロックの上下境界部構造を備えた擁壁構造としている。
【先行技術文献】
【特許文献】
【０００５】
【特許文献１】特開２０１１−２０２４９９号公報
【発明の概要】
【発明が解決しようとする課題】
【０００６】
前記特許文献１が開示する発明の擁壁構造においては、前壁３３、後壁３４、両前・後壁３３、３４を連結する連結体（左・右側壁３５、３６）、および左・右側壁３５、３６の上部間に配置された滑動抵抗体４０からなる擁壁ブロックは、嵩高であって、重量が重くなることから擁壁ブロックの単価が高価になると共に、擁壁施工現場における施工性が悪いという問題があった。
【０００７】
また、前記特許文献１が開示する発明の擁壁構造においては、擁壁ブロックの内部に形成された空間、および擁壁ブロックと法面との間の空間には、胴込め材３１や裏込め材１７を充填する必要があることから、大量の砕石や栗石等が必要になると共に、擁壁施工現場において大量の砕石や栗石等を充填することが必要になり、施工性が悪いという問題があった。
【０００８】
本発明は、従来技術の係る問題に鑑みてなされたものであり、嵩高にならず、比較的軽量な擁壁ブロックを使用すると共に、大量の砕石や栗石等を使用せず、土木廃材や産業廃棄物等を有効に活用した、コスト低減効果の大きい擁壁構造を提供することを課題とするものである。
【課題を解決するための手段】
【０００９】
上述した課題を解決するため、第１の観点にかかる発明においては、基礎地盤上に擁壁ブロックを段積みして構築する擁壁構造であって、前壁と、前壁の裏面に連結され前壁後方へ伸びる脚部材と、から構成される擁壁ブロックと、前壁の裏面側であって、脚部材の上に配置された土嚢ブロックと、土嚢ブロックの外周空間であって、土嚢ブロックと擁壁ブロックと法面により画成される空間に充填された中詰材とから構成される擁壁構造とした。
【００１０】
第２の観点にかかる発明においては、第１の観点にかかる発明の擁壁構造において、擁壁ブロックの前壁裏面には、前壁に沿って上下に伸びる１又は複数の桁部材が一体的に設けられており、脚部材は桁部材の数と同数設けられており、脚部材の一端が桁部材の下部に連結されている構成の擁壁構造とした。
【００１１】
第３の観点にかかる発明においては、第１又は第２の観点にかかる発明の擁壁構造において、土嚢ブロックは、前壁又は桁部材に連結されている構成の擁壁構造とした。
【００１２】
第４の観点にかかる発明においては、第１乃至第３のいずれかの観点にかかる発明の擁壁構造において、土嚢ブロックは、１又は複数の角型土嚢ブロックからなる構成の擁壁構造とした。
【００１３】
第５の観点にかかる発明においては、第１乃至第４のいずれかの観点にかかる発明の擁壁構造において、基礎地盤が、複数の独楽型ブロックを埋設した強化地盤から構成される擁壁構造とした。
【００１４】
第６の観点にかかる発明においては、基礎地盤上に擁壁壁面構造物を段積みして構築する擁壁構造であって、前壁と、前壁の下方裏面に連結され前壁後方へ伸びる底面壁と、前壁および底面壁を連結する連結部材から構成される擁壁壁面構造物と、前壁の裏面側であって、底面壁の上に配置された土嚢ブロックと、土嚢ブロックの外周空間であって、土嚢ブロックと擁壁壁面構造物と法面により画成される空間に充填された中詰材とから構成される擁壁構造とした。
【００１５】
第７の観点にかかる発明においては、第６の観点にかかる発明の擁壁構造において、土嚢ブロックは、１又は複数の角型土嚢ブロックからなる構成の擁壁構造とした。
【００１６】
第８の観点にかかる発明においては、第６又は第7の観点にかかる発明の擁壁構造において、基礎地盤が、複数の独楽型ブロックを埋設した強化地盤から構成される擁壁構造とした。
【発明の効果】
【００１７】
本発明によれば、前壁と、前壁の裏面に連結され前壁後方へ伸びる脚部材とから構成される擁壁ブロック、あるいは前壁と、前壁の下方裏面に連結され前壁後方へ伸びる底面壁と、前壁および底面壁を連結する連結部材から構成される擁壁壁面構造物を使用した擁壁構造としたため、擁壁ブロック、あるいは擁壁壁面構造物の形状をシンプルにできると共に、嵩を小さくすることができ、また軽量化を図ることができるため、擁壁ブロック、あるいは擁壁壁面構造物の低コスト化と擁壁施工現場における施工性の向上を図ることができる。
【００１８】
また、本発明によれば、擁壁ブロックの前壁と法面により画成される空間に土嚢ブロックを配置すると共に、土嚢ブロック、あるいは擁壁壁面構造物の外周空間であって、土嚢ブロックと擁壁ブロック、あるいは擁壁壁面構造物と法面により画成される空間に中詰材を充填する構成の擁壁構造としたため、砕石や栗石等から成る中詰材を減らすことができると共に、土嚢ブロックには土木廃材や産業廃棄物等を充填することができるため土木廃材や産業廃棄物等の有効に活用に繋がり、中詰材のコスト低減と擁壁施工現場における施工性の向上を図ることができる。
また、砕石や栗石等から成る中詰材を土嚢ブロックの外周に配置する構成としているため、水抜きが容易であり、その結果擁壁構造の強度向上を図ることができる。
【図面の簡単な説明】
【００１９】
【図１】図１は、本発明に係る擁壁ブロックと土嚢ブロックの鳥瞰図を示したものであり、図１(A)は擁壁ブロックと土嚢ブロックを組み合わせた状態を示したものであり、図１(B)は擁壁ブロック単体を示したものであり、図１(C)は土嚢ブロック単体を示したものである。
【図２】図２は、本発明に係る第１の実施形態にかかる擁壁構造の断面図を示したものである。
【図３】図３は、本発明の別の実施形態に係る擁壁ブロックと土嚢ブロックの鳥瞰図を示したものであり、図３(A)は擁壁ブロックと土嚢ブロックを組み合わせた状態を示したものであり、図３(B)は擁壁ブロック単体を示したものであり、図３(C)は土嚢ブロック単体を示したものである。
【図４】図４は、本発明の別の実施形態に係る擁壁構造の断面図であり、位置決め部材を備えた擁壁ブロックを使用した擁壁構造の断面図を示したものである。
【図５】図５は、本発明の別の実施形態に係る擁壁構造の断面図であり、基礎地盤に複数の独楽型ブロックを埋設することにより、基礎地盤の強化を図った擁壁構造を示したものである。
【図６】図６は、本発明の別の実施形態に係る擁壁構造の断面図であり、擁壁ブロックと法面との間に複数の土嚢ブロックを配置した擁壁構造を示したものである。
【図７】図７は、本発明の別の実施形態に係る擁壁壁面構造物と土嚢ブロックの鳥瞰図を示したものであり、図７(A)は擁壁壁面構造物と土嚢ブロックを組み合わせた状態を示したものであり、図７(B)は擁壁壁面構造物単体を示したものであり、図７(C)は土嚢ブロック単体を示したものである。
【図８】図８は、本発明の別の実施形態に係る擁壁構造の断面図であり、擁壁壁面構造物を使用した擁壁構造の断面図を示したものである。
【発明を実施するための形態】
【００２０】
以下、図面を用いて本発明の実施形態について説明する。  図１は、本発明に係る擁壁ブロック１０と土嚢ブロック２０の鳥瞰図を示したものである。  図１(A)は擁壁ブロック１０と土嚢ブロック２０を組み合わせた状態を示したものであり、図１(B)は擁壁ブロック１０単体を示したものであり、図１(C)は土嚢ブロック２０単体を示したものである。
【００２１】
擁壁ブロック１０はコンクリート製であり、前壁１１、脚部材１２、および桁部材１３から構成されている。  前壁１１と一体になった桁部材１３は、前壁１１の裏面の両脇２か所に、前壁１１の上端から下端に向かって伸びており、脚部材１２は桁部材１３のそれぞれの下端部から前壁１１の後方に向かって伸びている。  そして、図１に示す実施形態においては、脚部材１２の下端面と前壁１１の表面とは垂直になっている。  また、前壁１１には水抜き用の穴を、１又は複数個所設けるようにしても良い。
【００２２】
なお、上述した実施形態では、桁部材１３と脚部材１２がそれぞれ２か所配置された構成のものについて説明したが、このような実施形態に限定されるものではなく、桁部材１３と脚部材１２が１箇所のみ配置された構成の擁壁ブロック１０や、あるいは桁部材１３と脚部材１２が3箇所以上の複数個所配置された構成の擁壁ブロック１０を使用することもできる。
【００２３】
また、ここでは、擁壁ブロック１０の前壁１１の裏面に桁部材１３が配置された実施形態について説明したが、このような実施形態に限定されるものではなく、桁部材１３が配置されない擁壁ブロック１０とすることも可能である。  この場合、脚部材１２は擁壁ブロック１０の前壁１１から直接後方へ伸びる構成となる。
【００２４】
また、上述した実施形態では、脚部材１２の下端面と前壁１１の表面とは垂直な構成であるとして説明したが、このような実施形態に限定されるものではなく、脚部材１２の下端面と前壁１１の表面とは垂直ではなく、前壁１１が後傾した（すなわち、脚部材１２の下端面と前壁１１の表面がなす角度が鋭角になる状態）構成とすることもできる。
【００２５】
土嚢ブロック２０は土嚢袋体２１に、土嚢中詰材２３を詰めたものである。  本発明における土嚢袋体21としては、合成樹脂繊維織布シートで製作した袋や、土嚢中詰材２３を収納保持し得る程度のメッシュを有する金網構造又は合成樹脂繊維製網構造の袋体が使用され、角形、球形、円筒形等の形状のものを使用することができ、大型角型の形状のものが特に好ましい。
土嚢袋体２１には、他の構造物に連結するための１又は複数個所の固定部２２が設けられている。  土嚢中詰材としては、土木廃材や産業廃棄物等を直接詰め込むこともできるし、土木廃材や産業廃棄物等を粉砕した後に詰め込むようにしても良い。  もちろん土木廃材や産業廃棄物等以外の土砂や砕石等の骨材、あるいは土壌を詰めることもできる。  土嚢中詰材２３に土木廃材や産業廃棄物等を詰め込むことにより、土木廃材や産業廃棄物等の有効利用を促進することができる。  また、土嚢中詰材２３に土壌を詰め込むことにより、後述するように、植栽の生育土壌として利用することも可能となる。
【００２６】
なお、図１に示す実施形態においては、１つの擁壁ブロック１０に対して２つの角型の土嚢ブロック２０を使用した構成として示しているが、これに限定されるものではなく、１つの擁壁ブロック１０に対して１つの土嚢ブロック２０を使用するようにしても良いし、１つの擁壁ブロック１０に対して３以上の土嚢ブロック２０を使用するようにしても良い。  また、複数の擁壁ブロック１０に対して１つの擁壁ブロック１０を使用する構成とすることもできる。
【００２７】
図２は、本発明に係る第１の実施形態にかかる擁壁構造の断面図を示したものである。  この擁壁構造は、基礎地盤５０上に擁壁ブロック１０を複数段段積みして構築する擁壁構造であって、擁壁ブロック１０と、擁壁ブロック１０の前壁１１の裏面側後方に伸びた脚部材１２の上に配置された土嚢ブロック２０と、土嚢ブロック２０の外周空間であって、土嚢ブロック２０と擁壁ブロック１０と法面４０により画成される空間に中詰材３０を充填することより構成される。
【００２８】
中詰材３０としては、砕石や栗石等が使用される。  図２に示す擁壁構造の実施形態では、擁壁ブロック１０の脚部材１２の下端面と前壁１１の表面とは垂直な構成となっているため、擁壁ブロック１０の壁面は水平面に対して垂直になるように設定されているが、脚部材１２の下端面と前壁１１の表面とが垂直ではなく、前壁１１が後傾した擁壁ブロック１０を使用することにより、擁壁ブロック１０の壁面を後傾した状態に設定することもできる。
【００２９】
次に、図２に示す擁壁構造の施工方法について説明する。  
まず、切土または盛土により設けた法面４０の下方に基礎地盤５０を設ける。  基礎地盤５０は、砕石等を敷き固めて水平に造成したものであって、擁壁構造の高さや傾斜角によってその厚さは適宜調整される。  このように水平に形成された基礎地盤５０上に、クレーン等を使用して１段目の擁壁ブロック１０が設置される。  次に、擁壁ブロック１０の脚部材１２の上面と面一になるまで砕石や栗石等の中詰材３０を敷き詰め固めた後、脚部材１２の上面にクレーン等を使用して土嚢中詰材２３を詰めた土嚢ブロック２０を配置する。
【００３０】
脚部材１２の上面に土嚢ブロック２０を配置した後、土嚢ブロック２０に設けられた固定部２２を利用して、土嚢ブロック２０は擁壁ブロック１０の桁部材１３又は前壁１１に機械的に固定され、土嚢ブロック２０と擁壁ブロック１０とは一体化される。
【００３１】
土嚢ブロック２０と擁壁ブロック１０を機械的に固定した後、擁壁ブロック１０の裏面と、土嚢ブロック２０の外周面と、法面から画成される空間に中詰材３０を敷設する。  このとき、中詰材３０の上面を擁壁ブロック１０の上面に面一にするか、あるいは中詰材３０の上面を擁壁ブロック１０の上面よりわずかに低い位置で平坦になるようにする。
【００３２】
このようにして１段目の擁壁ブロック１０の段積みが終了した後、１段目の中詰材３０の上面に２段目以降の擁壁ブロック１０の段積みを順次繰り返すことによって擁壁構造が完成する。  なお、図２に示すように、上段の擁壁ブロック１０の前壁１１は、下段の擁壁ブロック１０の前壁１１よりも法面側に後退した位置に積み上げるようにしている。  ただし、状況によっては、上段の擁壁ブロック１０の前壁１１と下段の擁壁ブロック１０の前壁１１とが、面一なるように積み上げるようにしても良い。
【００３３】
このような構成の擁壁構造とすることにより、土嚢ブロック２０の全重量が擁壁ブロック１０に作用することになり、土嚢ブロック２０を使用せず中詰材３０のみを敷設した擁壁構造に比べて、擁壁ブロック１０の滑動抵抗が飛躍的に向上し、極めて強固な擁壁構造とすることができる。
【００３４】
次に、上述した実施形態とは別の実施形態について説明する。  図３は、本発明の別の実施形態に係る擁壁ブロック１０と土嚢ブロック２０の鳥瞰図を示したものである。  図３(A)は擁壁ブロック１０と土嚢ブロック２０を組み合わせた状態を示したものであり、図３(B)は擁壁ブロック１０単体を示したものであり、図３(C)は土嚢ブロック２０単体を示したものである。
【００３５】
図３に示す実施形態においては、擁壁ブロック１０の脚部材１２は分割されて製造され、現場作業により分割された脚部材１２を機械的に連結することができるようになっている。  また、図示はしていないが、脚部材１２全体を擁壁ブロック１０と分けて製造し、現場作業により擁壁ブロック１０に脚部材１２を機械的に固定するようにしても良い。
【００３６】
このような構成の擁壁ブロック１０とすることにより、擁壁ブロック１０の嵩を小さくすることが可能となり、擁壁ブロック１０の製造、保管、輸送、取扱いを容易にすることができる。
【００３７】
また、図３に示す実施形態では、擁壁ブロック１０の桁部材１３の上端には、位置決め部材１４が配置されている。  この位置決め部材１４は、上段側の擁壁ブロックの高さ方向や前後方向の位置決めに使用するものであり、擁壁構造を構築する際には、中詰材３０は位置決め部材１４の上面と面一になるように敷設する。  このような位置決め部材１４を利用することにより、現場作業における中詰材３０の敷設作業が容易になり施工時間の短縮を図ることが可能になる。
【００３８】
この位置決め部材１４は、擁壁ブロック１０に一体的に設けるようにしても良いし、位置決め部材１４と擁壁ブロック１０とを分けて製造し、現場作業において機械的に結合するようにしても良い。
【００３９】
図４は、本発明の別の実施形態に係る擁壁構造の断面図であり、位置決め部材１４を備えた擁壁ブロック１０を使用した擁壁構造の断面図を示したものである。  この実施形態では、上段側の擁壁ブロック１０は、下段側の擁壁ブロック１０に設けられた位置決め部材１４の上面の所定位置に配置されるようになっている。
【００４０】
図５は、本発明の別の実施形態に係る擁壁構造の断面図であり、基礎地盤５０に複数の独楽型ブロック５１を埋設することにより、基礎地盤５０の強化を図った擁壁構造を示したものである。  このように、基礎地盤５０に独楽型ブロック５１を適用することにより、軟弱な地盤においても堅固な擁壁構造を構築することが可能となる。
【００４１】
図６は、本発明の別の実施形態に係る擁壁構造の断面図であり、擁壁ブロック１０と法面４０との間に複数の土嚢ブロック２０を連結して配置した擁壁構造を示したものである。  このような構成の擁壁構造とすることにより、複数個の土嚢ブロック２０の全荷重が擁壁ブロック１０の滑動抵抗力として作用することになるため、更に堅固な擁壁構造を構築することが可能となる。
【００４２】
また、このような実施形態の擁壁構造においては、下段側擁壁ブロック１０に対して、上段側擁壁ブロック１０を法面４０側へ大きく後退させて配置することが可能となり、図６に示すように、段積みされた擁壁ブロック１０の前面に植栽を施すことも可能となる。  なお、段積みされた擁壁ブロック１０の前面に植栽を施す場合には、該当する土嚢ブロック２０の土嚢中詰材２３として、植栽の生育土壌を詰め込むようにすることもできる。
【００４３】
次に、上述した実施形態とは更に別の実施形態について説明する。  図７は、本発明の更に別の実施形態に係る擁壁壁面構造物と土嚢ブロックの鳥瞰図を示したものである。  図７(A)は擁壁壁面構造物と土嚢ブロックを組み合わせた状態を示したものであり、図７(B)は擁壁壁面構造物単体を示したものであり、図７(C)は土嚢ブロック単体を示したものである。
【００４４】
擁壁壁面構造物６０は、防錆処理をした鉄等の金属製、または本質的に耐腐食性を備えた樹脂系複合材料製であり、前壁６１、底面壁６２、前壁６１と底面壁６２とを連結する連結部材６３とから構成されている。  底面壁６２は、前壁６１の下方裏面に連結され、前壁６１後方へ伸びている。  連結部材６３は、前壁６１と底面壁６２が常に所定角を成すように維持するための部材であり、例えば、前壁６１と底面壁６２の側部においてこれらを互いに連結している。
【００４５】
前壁６１および底面壁６２は格子（グリッド）状構造、骨組み（フレーム、トラス）構造、あるいはメッシュ構造であることが望ましく、このような構造とすることにより、中詰材３０の保持と水抜きの機能を果たすと共に、前壁６１に植栽を施すことも可能となる。
【００４６】
図８は、擁壁壁面構造物６０を使用した擁壁構造の断面図を示したものであり、土嚢ブロック２０および中詰材３０は、図２に示す実施形態で説明したものと同一である。  従って、擁壁壁面構造物６０を使用した擁壁構造を図４、図５、図６で説明した構成の擁壁構造とすることもできる。
【００４７】
なお、図７および図８で説明した実施形態では、連結部材６３は、同一の擁壁壁面構造物６０の前壁６１と底面壁６２を連結するように示してあるが、連結部材６３の配置はこのようものに限定されるものではない。  例えば、上下に段積みされる複数の擁壁壁面構造物６０において、下段側の擁壁壁面構造物６０の前壁６１と、上段側の擁壁壁面構造物６０の底面壁６２あるいは前壁６１の下部との間に連結部材６３を配置するようにしても良い。
【符号の説明】
【００４８】
１０      擁壁ブロック
１１      前壁
１２      脚部材
１３      桁部材
１４      位置決め部材
２０      土嚢ブロック
２１      土嚢袋体
２２      固定部
２３      土嚢中詰材
３０      中詰材
４０      法面
５０      基礎地盤
５１      独楽型ブロック
６０      擁壁壁面構造物
６１      前壁
６２      底面壁
６３      連結部材
【図１】
2014029100.tif 000003
【図２】
2014029100.tif 000004
【図３】
2014029100.tif 000005
【図４】
2014029100.tif 000006
【図５】
2014029100.tif 000007
【図６】
2014029100.tif 000008
【図７】
2014029100.tif 000009
【図８】
2014029100.tif 000010